(57)【要約】      （修正有）【課題】橋梁や建築物等において、構造材の接続に使用されるナットの共回り及び脱落を防止したナット固定用金具を提供する。【解決手段】ナット固定用金具は、六角ナットの螺合孔より大き目の円孔１を中央に備えた矩形のナット端面保持板２と、該ナット端面保持板２の一方の相対向する辺に一体に直角に立ち上がり六角ナットの側壁角部を嵌合させる長孔３と該長孔３に連続してワッシャを嵌合させる１／４円孔４を備えた嵌合側壁部４を設ける。さらに該嵌合側壁部４の端部に一体に水平に折り曲げた連結片５と、前記ナット端面保持板２の他方の相対向する辺に六角ナットより狭い幅で一体に直角に立ち上げて六角ナットの側壁平面部を保持させる保持側壁部６とから構成される。【選択図】図１
0003173815.tif 000002
【実用新案登録請求の範囲】
【請求項１】
六角ナットの螺合孔より大き目の円孔を中央に備えた矩形のナット端面保持板と、該ナット端面保持板の一方の相対向する辺に一体に直角に立ち上がり六角ナットの側壁角部を嵌合させる長孔と該長孔に連続してワッシャを嵌合させる１／４円孔を備えた嵌合側壁部と、該嵌合側壁部の端部に一体に水平に折り曲げた連結片と、前記ナット端面保持板の他方の相対向する辺に六角ナットより狭い幅で一体に直角に立ち上げ六角ナットの側壁平面部を保持させる保持側壁部とから構成されることを特徴とするナット固定用金具。
【考案の詳細な説明】
【技術分野】
【０００１】
本考案は、橋梁や建築物等において、構造材の接続に使用されるナットの共回り及び脱落を防止したナット固定用金具に関するものである。
【背景技術】
【０００２】
従来、ナットに加工を一切施す必要がなく、その空回りを防止できると共に径方向の微調整ができるナット固定装置が知られている（特許文献１を参照）。
この公知技術は、ナットが配置される側の接合体にナットを予め固定しておくための装置であって、ナットの外端部を摺動可能に押える押え面部と、この押え面部の周縁部に前記ナットの周壁を囲むべくその少なくとも３つの壁面とそれぞれが微小の間隙を存して前記ナットに対向するように設けられると共に、それぞれが前記接合体に溶接で固定され、前記ナットの径方向の微小移動を許容しつつ回転を規制するための脚部とを備えたナット固定装置である。
【０００３】
また、ボルトをナットで締結した際に、そのボルトのストレート部に剪断作用がなされるように、ワッシャで調整できるようにしたナット用キャップが知られている（特許文献１を参照）。
この公知技術は、ナットの側面と上面との一部を被覆するキャップであって、当該キャップの上面にボルト貫通用の孔が設けられると共に、側壁部にナットの角部を露出させる回転止め孔があり、該回転止め孔から連通して固定部にレベル調整用のワッシャの一部を避ける孔部が設けられているナット用キャップである。
【先行技術文献】
【特許文献】
【０００４】
【特許文献１】特開平７−１９２２４号公報
【特許文献２】特開２００７−１７０５１８号公報
【考案の概要】
【考案が解決しようとする課題】
【０００５】
本考案は、橋梁や建築物等において、構造材の接続に使用されるナットの共回り及び脱落を防止したナット固定用金具を提供することを目的とする。
【課題を解決するための手段】
【０００６】
本考案のナット固定用金具は、六角ナットの螺合孔より大き目の円孔を中央に備えた矩形のナット端面保持板と、該ナット端面保持板の一方の相対向する辺に一体に直角に立ち上がり六角ナットの側壁角部を嵌合させる長孔と該長孔に連続してワッシャを嵌合させる１／４円孔を備えた嵌合側壁部と、該嵌合側壁部の端部に一体に水平に折り曲げた連結片と、前記ナット端面保持板の他方の相対向する辺に六角ナットより狭い幅で一体に直角に立ち上げ六角ナットの側壁平面部を保持させる保持側壁部とから構成される。
【考案の効果】
【０００７】
本考案のナット固定用金具は、六角ナットの螺合孔より大き目の円孔を中央に備えた矩形のナット端面保持板と、該ナット端面保持板の一方の相対向する辺に一体に直角に立ち上がり六角ナットの側壁角部を嵌合させる長孔と該長孔に連続してワッシャを嵌合させる１／４円孔を備えた嵌合側壁部と、該嵌合側壁部の端部に一体に水平に折り曲げた連結片と、前記ナット端面保持板の他方の相対向する辺に六角ナットより狭い幅で一体に直角に立ち上げ六角ナットの側壁平面部を保持させる保持側壁部とから構成されるため、前記嵌合側壁部を押し広げることによりナットの装着が簡単に行えると共に、前記保持側壁部によりナットの移動を阻止することができる。
【図面の簡単な説明】
【０００８】
【図１】本考案のナット固定用金具の斜視図である。
【図２】本考案のナット固定用金具の底面図である。
【図３】本考案のナット固定用金具を構造材に締め付け固定した状態の一部断面正面図である。
【考案を実施するための形態】
【０００９】
本考案のナット固定用金具の一実施例を添付図面に基づいて、以下に説明する。
図１の斜視図及び図２の底面図に示すように、本考案のナット固定用金具は、六角ナットの螺合孔より大き目の円孔１を中央に備えた矩形のナット端面保持板２と、該ナット端面保持板２の一方の相対向する辺に一体に直角に立ち上がり六角ナットの側壁角部を嵌合させる長孔３と該長孔３に連続してワッシャを嵌合させる１／４円孔４を備えた嵌合側壁部５と、さらに該嵌合側壁部５の端部に一体に水平に折り曲げた連結片６と、前記ナット端面保持板２の他方の相対向する辺に六角ナットより狭い幅で一体に直角に立ち上げて六角ナットの側壁平面部を保持させる保持側壁部７とから構成される。
【００１０】
本考案のナット固定用金具に六角ナットを組み付けた状態では、前記ナット固定用金具の前記嵌合側壁部５を強制的に開くように押し広げ、六角ナットの側壁角部が長孔３に嵌合するように位置合わせをして挿入する。その際には、六角ナットの側壁平面部が保持側壁部７に保持される状態となる。
【００１１】
本考案のナット固定用金具は、弾性を有する金属製板状材から裁断・折り曲げにより形成され、前記嵌合側壁部５を強制的に開くように押し広げることにより六角ナットの装着が簡単に行えると共に、前記保持側壁部７により六角ナットの側壁平面部を保持し六角ナットの移動を阻止することができる。
【００１２】
次に、本考案のナット固定用金具の操作動作を添付図面に基づいて、以下に説明する。
まず、ナット固定用金具の前記嵌合側壁部５を強制的に開くように押し広げ、六角ナットの側壁角部が長孔３に嵌合するように位置合わせをして挿入し、六角ナットの側壁平面部が保持側壁部７に保持される状態とする。
そして、図３の一部断面正面図に示すように、六角ナット８にワッシャ９を組み付けた状態のナット固定用金具を構造材Ａ、Ｂの貫通孔に合わせて連結片６，６を構造材Ａに溶接し、本発明のナット固定用金具を構造材Ａに固定する。
次に、高力ボルト１０にワッシャ１１を挿入し、続いて高力ボルト１０を構造材Ａ、Ｂの貫通孔に挿入する。
そして、締付工具を使用して高力ボルト１０の頭部を回して締め付けを行い、構造材Ａ、Ｂを連結固定する。その際、六角ナット８は、本考案のナット固定用金具の嵌合側壁部５及び保持側壁部７により位置決めされており、共回りすることはない。
【符号の説明】
【００１３】
１  円孔
２  ナット端面保持板
３  長孔
４  １／４円孔
５  嵌合側壁部
６  連結片
７  保持側壁部
８  六角ナット
９  ワッシャ
１０  高力ボルト
１１  ワッシャ
【図１】
0003173815.tif 000003
【図２】
0003173815.tif 000004
【図３】
0003173815.tif 000005